(57)【要約】      （修正有）【課題】本発明は例えば寝具用マットレスにバイブレーター等の振動発生器を組み込むことにより、現代病ともいわれるストレスの解消の他、頭痛、肩凝り、不眠症、慢性便秘にも治癒効果があるリラクゼイション器具において、小形軽量のバイブレーターの微弱な振動であっても効率の良い振動伝達が行えるバイブレーター振動伝達装置を提供しようとするものである。【解決手段】偏心分銅を装置した振動モーターやムービングコイルまたはムービングマグネット等のバイブレーターを、ゴム弾性をもつ熱可塑性エラストマーからなる連続線条のランダムループを３次元スプリング構造化した振動伝達体に配置し、又バイブレーターをスパイラルチューブに挿入設置したことを特徴とするバイブレーター振動伝達装置である。【選択図】図３
2005144203.tif 000002
【特許請求の範囲】
【請求項１】
偏心分銅を装置した振動モーターやムービングコイルまたはムービングマグネット等のバイブレーターを、ゴム弾性をもつ熱可塑性エラストマーからなる連続線条のランダムループを３次元スプリング構造化した振動伝達体に配置したことを特徴とするバイブレーター振動伝達装置。
【請求項２】
バイブレーターをスパイラルチューブに挿入設置したことを特徴とする請求項１記載のバイブレーター振動伝達装置。
【発明の詳細な説明】
【技術分野】
【０００１】
本発明は例えば寝具用マットレスに内設した偏心分銅を装置した振動モーターやムービングコイルまたはムービングマグネット等のバイブレーターの振動を減衰することなく効率良く広範囲に伝達させて、抹消神経を刺激して皮膚を通して身体で感じさせることができるリラクゼーション器具において、振動伝達体としてゴム弾性をもつ熱可塑性エラストマーからなる連続線条のランダムループを３次元スプリング構造化した振動伝達体を用いたバイブレーター振動伝達装置に関する。
【背景技術】
【０００２】
椅子の座面や背も垂れ面あるいは寝具用マットレスにバイブレーターを組み込み身体に振動として伝えることにより、抹消神経を刺激して悩内のβ波を鎮め、α波やθ波を活性化させてリラックス効果を与える一方、ストレスからくる身体の不調を解消しようとするマッサージ器等リラクゼーション器具があるが、バイブレーター等振動発生器は小形にすると振動が微弱であるため効率の良い振動伝達装置が必要となる。
【０００３】
従来、この振動伝達構造としては、ウレタン発疱等弾性を有する合成樹脂発疱材や固綿にバイブレーターを埋め込み、身体に良く馴染み身体へ振動を効率よく伝達させようとしていた。しかしながら、合成樹脂発泡材や固綿は振動を吸収する作用があるため効率の良い振動伝達が得られなく、従って振動を得るためには多数個の振動発生器を設置する必要があった。
【発明の開示】
【発明が解決しようとする課題】
【０００４】
本発明は例えば寝具用マットレスにバイブレーター等の振動発生器を組み込むことにより、現代病ともいわれるストレスの解消の他、頭痛、肩凝り、不眠症、慢性便秘にも治癒効果があるリラクゼイション器具において、小形軽量のバイブレーターの微弱な振動であっても効率の良い振動伝達が行えるバイブレーター振動伝達装置を提供しようとするものである。
【０００５】
すなわち、寝具用マットレスは、身体重量が直接掛かるため、小形軽量のバイブレーターを利用した加振器では、振動が微弱であるため身体に十分な振動を得るために多数個をマットレスに配設する必要があるが異物感触が生じて商品化が困難であり、また、振動発生の大きな振動発生器を利用すると、大型過重量となりマットレスに組み込むことが困難である。そのため小形軽量のバイブレーターを利用した振動発生器との組み合わせにおいても効率よい振動が身体に得られ、かつ、身体重量が掛からない位置にバイブレーターを配置しても身体に振動が効率良く伝達されることから異物感触が無いマッサージ器等のリラクゼイション器具の製品化を可能としたバイブレーター振動伝達装置を提供しようとするものである。
【課題を解決するための手段】
【０００６】
上記目的を達成するため、本発明は例えばポリエステル樹脂を連続線条ランダムループを３次元スプリング構造化した振動伝達体として使用することにより、マットに多数個の振動発生器を配置しなくても振動が効率良く伝達されることから、身体重量により振動発生器が押しつぶされることがなく、異物感も生じない位置に小形軽量のバイブレーターを設置しても、その振動はマット全域に万遍なく伝達され、寝具用マットレスや椅子式マッサージ、振動式の床材や壁材などの製品化を可能にするものである。
【発明の効果】
【０００７】
偏心分銅を装置した振動モーターやムービングコイルまたはムービングマグネット等のバイブレーターを、ゴム弾性をもつ熱可塑性エラストマーからなる連続線条のランダムループを３次元スプリング構造化した振動伝達体の離間する位置に配置したことから、小形軽量なバイブレーターであってもその振動は減衰が少なく効率よく伝達することが出来る。したがって、バイブレーターは多数個を配置しなくても同様な性能効果が得られ、よって身体重量が掛からない外れた位置にバイブレーターを配置することもできることから異物感のない商品価値の高い製品化が可能になる。
【０００８】
また、スパイラルチューブを用いてバイブレーターの振動を伝達することにより、軸方向の振動はより効率よく振動伝達体に線条に伝播することから全体的な振動伝達はより向上される。
【発明を実施するための最良の形態】
【０００９】
本発明はポリエステル樹脂を連続線条ランダムループを３次元スプリング構造化した振動伝達体として使用することにより、マットに多数個の振動発生器を配置しなくても振動が効率良く伝達されることから、身体重量により振動発生器が押しつぶされることがなく、異物感も生じない位置に小形軽量のバイブレーターを設置しても、その振動はマット全域に万遍なく伝達され、これによりリラクゼーション効果の得られる寝具用マットレスを実現した。
【実施例１】
【００１０】
図１は本発明振動装置を用いた寝具用リラクゼーションマットレスの全体図を示し、図２は内部構造を説明するための分解図、図３はバイブレーターの構造を説明するための拡大図、図４は振動伝達体の形態を示す斜視図、図５は振動伝達を説明するための説明図である。  本発明をこれら図に基ずいて説明する。図において（１）は寝具用リラクゼイションのマットレスを示し、（２）は全体を被包する表皮である。（３）はマットレス（１）の頭部一側コーナー部に設置された接続器、（４）は接続器（３）に本体コード（５）を介して接続される制御器である。
【００１１】
内部構造を図２に基づいて説明する。（６）は厚みを有する整形固綿であり、この固綿（６）の頭部一側コーナー切り欠部に接続器（３）が取り付けられている。固綿（６）は腰部から足部にかけて周縁部に堤部を残した凹陥部（７）が設けて有り、この凹陥部（７）にバイブレーター（８）…を設置した振動伝達体（９）が嵌挿設置されている。振動伝達体（９）はゴム弾性の熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させたもので（東洋紡績株式会社製、商標名：ブレスエアー、図４参照）剛性弾性を有する網状マットの形態となっている。
【００１２】
このように形成された剛性弾性を有する網状マット形態をなす振動伝達体（９）の両端部にはバイブレーター（８）…が装置されている。バイブレーター（８）…は例えばボイスコイルが用いられている。ボイスコイルは薄い紙やアルミなど金属のボビンに銅線やアルミ線などを巻き付け接着剤で固め、ボビンにマグネットを内挿し、巻線に音波となる電気信号が流れることにより振動発生する構造であり、振動を効率よく得るために樹脂で形成した筒の中に両端のスプリング（１０）（１０）で保持して挿入構成されている。これらバイブレーター（８）…をマットに取り付ける際は、振動が打ち消し合わないように極性を合わせて同向にしてスパイラルチューブ（１１）に挿入にして取り付けられている。バイブレーター（８）の配置位置は振動伝達体（９）の両端部のほか片方側だけでもよい。
【００１３】
スパイラルチューブ（１１）は硬質塩化ビニールの針金体を螺旋状に巻いたものに軟質塩化ビニールで被包してチューブに形成したもので、バイブレーター（８）…はリード線（１２）を介して制御器（４）に接続され、外部音響機器（１３）からの音源の低音域の電気信号を制御器（４）を介して受けて振動し、振動伝達体（９）に、スパイラルチューブ（１１）を介することにより線状に、より効率よく伝達して、仰向に寝た人の身体表皮の末梢神経を刺激して血流を促進し、自然治癒力を高める。
【００１４】
外部音響機器（１３）からの音源の高音域の音楽音はリラクゼーションマットレス（１）の頭部両側部に設けたスピーカー（１４）（１４）で再生され、身体全体で心地よい環境を得ることが出来る。よって悩内のβ波を鎮め、α波やθ波を活性化させてリラックス効果を与える一方、ストレスからくる身体の不調を解消させ心地よい入眠に至ることができる。整形固綿（６）の凹陥部（７）にバイブレーター（８）…設置した振動伝達体（９）を嵌挿設置した表全面には表面に無圧の凹凸を形成した固綿板（１５）が被せられ表皮（２）で覆われている。
【産業上の利用可能性】
【００１５】
上記実施例では寝具用のマットレスについて記述してきたが、椅子式マッサージ、振動式の床材や壁材などの用途にも適用できるものである。
【図面の簡単な説明】
【００１６】
【図１】本発明の本発明の振動装置を組み込んだリラクゼーションマットレスの斜視図。
【図２】図１の内部構造を説明するための分解斜視図。
【図３】バイブレーターの拡大図。
【図４】振動伝達体の形態を説明するための拡大斜視図。
【図５】振動伝達を説明するための説明図。
【符号の説明】
【００１７】
１  マットレス
８  バイブレーター
９  振動伝達体
１１  スパイラルチューブ
【図１】
2005144203.tif 000003
【図２】
2005144203.tif 000004
【図３】
2005144203.tif 000005
【図４】
2005144203.tif 000006
【図５】
2005144203.tif 000007